(57)【要約】要約課題  この発明は、表示装置に接続可能で、情報記録媒体に記録された映像信号を再生する映像再生装置及び記録再生する映像記録再生装置であって、省エネルギー性と応答性を両立できる映像再生装置及び映像記録再生装置を提供することを目的とする。解決手段  映像再生装置は、映像再生装置に接続される表示装置の動作状態情報と映像再生装置の動作履歴情報とに基づいて、電力供給モードを設定するようにした。選択図  図１
2009028312.tif 000002
【特許請求の範囲】
【請求項１】
記録媒体に記録された映像信号を再生し、再生された前記映像信号を表示する表示装置と接続するための映像再生装置であって、
前記表示装置の動作状態情報を取得する動作状態情報取得部と、
前記映像再生装置を動作させる操作指示を入力する操作入力部と、
前記映像再生装置が前記操作指示に基づいて動作した動作時間情報を取得する動作時間情報取得部と、
前記動作時間情報に基づいて、所定時間帯毎にポイントを付与するポイント付与部と、  前記所定時間帯毎に付与されたポイントを動作履歴情報として記憶する記憶部と、
前記動作履歴情報と前記動作状態情報とに基づいて、前記映像再生装置への電力供給モードを設定するモード設定部と、
を備えることを特徴とする映像再生装置。
【請求項２】
モード設定部は、所定時間帯のそれぞれの開始時点に至った際に、設定すること
を特徴とする請求項１に記載の映像再生装置。
【請求項３】
電力供給モードは、
映像再生装置を構成する複数のデバイスの全てに電力を供給する通常モードと、
前記複数のデバイスのうちで操作入力部を動作可能とするデバイスのみに電力を供給する待機モードと、
前記複数のデバイスのうちで操作入力部を動作可能とするデバイスと所定動作開始までに待ち時間を要するデバイスとに電力を供給する省エネルギーモードと
を備え、
操作指示は、前記映像再生装置が記録された映像信号を再生するための再生指示を含むものであって、
モード設定部は、前記映像再生装置に外部電力を供給した際に、前記電力供給モードを強制的に一旦前記待機モードに設定すること
を特徴とする請求項１または２のいずれかに記載の映像再生装置。
【請求項４】
動作状態情報は、表示装置が動作中か停止中かを判別して得られるものであり、
動作時間情報は、操作指示による映像再生装置の動作開始時刻と動作終了時刻とを含むものであり、
ポイント付与部で付与された所定時間帯毎のポイントは、前記動作開始時刻と前記動作終了時刻とから、前記時間帯毎に前記映像再生装置の使用確率を算出して得られるものであって、
モード設定部は、前記ポイントが所定の第１のレベル以上であり、かつ、前記動作状態情報が動作中と判別して得られた場合に、電力供給モードを省エネルギーモードに設定すること
を特徴とする請求項３に記載の映像再生装置。
【請求項５】
記録媒体はディスクであり、
所定動作開始までに待ち時間を要するデバイスは前記ディスクを回転駆動させて映像信号を再生するディスクドライブであること
を特徴とする請求項３または４のいずれかに記載の映像再生装置。
【請求項６】
記憶部は、ディスクドライブを再生時の回転数よりも低下させるか否かを判別するための静音フラグ情報を所定時間帯毎に動作履歴情報に追加して記憶し、
モード設定部は、電力供給モードが省エネルギーモードに設定されている場合に、前記動作履歴情報に追加して記憶された前記静音フラグ情報に基づいて、前記ディスクドライブの回転数を制御すること
を特徴とする請求項５に記載の映像再生装置。
【請求項７】
映像再生装置を構成する複数のデバイスのうちで、選択したデバイスのみに電力供給するように制御する選択制御部をさらに備え、
記憶部は、動作時間情報に基づいて、所定時間帯毎における最も動作時間の長かった操作指示を前記所定時間帯毎に動作履歴情報に追加して記憶し、
前記選択制御部は、モード設定部が電力供給モードを省エネルギーモードに設定する際に、前記動作履歴情報に追加して記憶された操作指示で動作するデバイスを選択することを特徴とする請求項４乃至６のいずれか１項に記載の映像再生装置。
【請求項８】
モード設定部は、ポイントが所定の第１のレベルよりも小さい所定の第２のレベル以下であり、かつ、動作状態情報が停止中と判別して得られた場合に、電力供給モードを待機モードに設定すること
を特徴とする請求項４乃至７のいずれか１項に記載の映像再生装置。
【請求項９】
受信された映像信号を記録媒体に記録するとともに、前記記録媒体に記録された映像信号を再生し、再生された映像信号を表示する表示装置と接続するための映像記録再生装置であって、
前記表示装置の動作状態情報を取得する動作状態情報取得部と、
前記映像記録再生装置を動作させる操作指示を入力する操作入力部と、
前記映像記録再生装置が前記操作指示に基づいて動作した動作時間情報を取得する動作時間情報取得部と、
前記動作時間情報に基づいて、所定時間帯毎にポイントを付与するポイント付与部と、  前記所定時間帯毎に付与されたポイントを動作履歴情報として記憶する記憶部と、
前記動作履歴情報と前記動作状態情報とに基づいて、前記映像記録再生装置への電力供給モードを設定するモード設定部と、
を備えること
を特徴とする映像記録再生装置。
【請求項１０】
モード設定部は、所定時間帯のそれぞれの開始時点に至った際に、設定すること
を特徴とする請求項９に記載の映像記録再生装置。
【請求項１１】
電力供給モードは、
映像記録再生装置を構成する複数のデバイスの全てに電力を供給する通常モードと、
前記複数のデバイスのうちで操作入力部を動作可能とするデバイスのみに電力を供給する待機モードと、
前記複数のデバイスのうちで操作入力部を動作可能とするデバイスと所定動作開始までに待ち時間を要するデバイスとに電力を供給する省エネルギーモードと
を備え、
操作指示は、
前記映像記録再生装置が受信された映像信号を記録媒体に記録するための記録指示と、  前記映像記録再生装置が前記記録媒体に記録された映像信号を再生するための再生指示と、
を含むものであって、
モード設定部は、前記映像記録再生装置に外部電力を供給した際に、前記電力供給モードを強制的に一旦前記待機モードに設定すること
を特徴とする請求項９または１０のいずれかに記載の映像記録再生装置。
【請求項１２】
動作状態情報は、表示装置が動作中か停止中かを判別して得られるものであり、
動作時間情報は、操作指示による映像記録再生装置の動作開始時刻と動作終了時刻とを含むものであり、
ポイント付与部で付与された所定時間帯毎のポイントは、前記動作開始時刻と前記動作終了時刻とから、前記時間帯毎に前記映像記録再生装置の使用確率を算出して得られるものであって、
モード設定部は、前記ポイントが所定の第１のレベル以上であり、かつ、前記動作状態情報が動作中と判別して得られた場合に、電力供給モードを省エネルギーモードに設定すること
を特徴とする請求項１１に記載の映像記録再生装置。
【請求項１３】
操作指示が受信された映像信号を所定の時刻に記録することであって、かつ、当該操作指示は予め予約設定されたものである場合に限って、
ポイント付与部は、映像記録再生装置の使用確率を算出して得られるポイントと異なるポイントを前記映像記録再生装置の使用確率を算出して得られるポイントに代えて付与すること
を特徴とする請求項１２に記載の映像記録再生装置。
【請求項１４】
映像再生装置が有する記録媒体に記録された映像信号を再生し、再生された映像信号を表示する表示装置に前記再生された映像信号を出力する映像再生方法であって、
前記表示装置の動作状態情報を取得する動作状態情報取得工程と、
前記映像再生装置を動作させる操作指示を入力する操作入力工程と、
前記映像再生装置が前記操作指示に基づいて動作した動作時間情報を取得する動作時間情報取得工程と、
前記動作時間情報に基づいて、所定時間帯毎にポイントを付与するポイント付与工程と、
前記所定時間帯毎に付与されたポイントを動作履歴情報として記憶する記憶工程と、
前記動作履歴情報と前記動作状態情報とに基づいて、前記映像再生装置への電力供給モードを設定するモード設定工程と、
を備えることを特徴とする映像再生方法。
【請求項１５】
モード設定工程は、前記所定時間帯のそれぞれの開始時点に至った際に、設定することを特徴とする請求項１４に記載の映像再生方法。
【請求項１６】
電力供給モードは、
映像再生装置を構成する複数のデバイスの全てに電力を供給する通常モードと、
前記複数のデバイスのうちで操作入力部を動作可能とするデバイスのみに電力を供給する待機モードと、
前記複数のデバイスのうちで操作入力部を動作可能とするデバイスと所定動作開始までに待ち時間を要するデバイスとに電力を供給する省エネルギーモードと
を備え、
操作指示は、前記映像再生装置が記録された映像信号を再生するための再生指示を含むものであって、
モード設定工程は、前記映像再生装置に外部電力を供給した際に、前記電力供給モードを強制的に一旦前記待機モードに設定すること
を特徴とする請求項１４または１５のいずれかに記載の映像再生方法。
【請求項１７】
受信された映像信号を映像記録再生装置が有する記録媒体に記録するとともに、前記記録媒体に記録された映像信号を再生し、再生された映像信号を表示する表示装置に出力する映像記録再生方法であって、
前記表示装置の動作状態情報を取得する動作状態情報取得工程と、
前記映像記録再生装置を動作させる操作指示を入力する操作入力工程と、
前記映像記録再生装置が前記操作指示に基づいて動作した動作時間情報を取得する動作時間情報取得工程と、
前記指示動作時間情報に基づいて、所定時間帯毎にポイントを付与するポイント付与工程と、
前記所定時間帯毎に付与されたポイントを動作履歴情報として記憶する記憶工程と、
前記動作履歴情報と前記動作状態情報とに基づいて、前記映像記録再生装置への電力供給モードを設定するモード設定工程と、
を備えること
を特徴とする映像記録再生方法。
【請求項１８】
モード設定工程は、前記所定時間帯のそれぞれの開始時点に至った際に、設定することを特徴とする請求項１７に記載の映像記録再生方法。
【請求項１９】
電力供給モードは、
映像記録再生装置を構成する複数のデバイスの全てに電力を供給する通常モードと、
前記複数のデバイスのうちで操作入力部を動作可能とするデバイスのみに電力を供給する待機モードと、
前記複数のデバイスのうちで操作入力部を動作可能とするデバイスと所定動作開始までに待ち時間を要するデバイスとに電力を供給する省エネルギーモードと
を備え、
操作指示は、
前記映像記録再生装置が受信された映像信号を記録媒体に記録するための記録指示と、  前記映像記録再生装置が前記記録媒体に記録された映像信号を再生するための再生指示と、
を含むものであって、
モード設定工程は、前記映像記録再生装置に外部電力を供給した際に、前記電力供給モードを強制的に一旦前記待機モードに設定すること
を特徴とする請求項１７または１８のいずれかに記載の映像記録再生方法。
【発明の詳細な説明】
【技術分野】
【０００１】
この発明は、光ディスクやハードディスク等の情報記録媒体に記録された映像信号を再生する映像再生装置及び記録再生を行う映像記録再生装置に関するものであり、特に、省エネルギーに関する制御技術が利用された映像再生装置、映像記録再生装置、映像再生方法、及び、映像記録再生方法に関する。
【背景技術】
【０００２】
情報記録媒体である光ディスクやハードディスク等に符号化して記録された映像音声情報である映像信号を再生する映像再生装置ないしは符号化された映像音声情報である映像信号を記録再生可能な映像記録再生装置として、光ディスクプレイヤーないしは光ディスクレコーダーやハードディスクレコーダー等が知られている。【０００３】
一般的に、情報記録媒体がこのようなディスクである映像再生装置や映像記録再生装置は、電源オフ状態から再生ないしは記録を開始するまでに、非常に多くの時間を要する。その理由として、このような映像再生装置や映像記録再生装置は数多くのデバイスから構成されており、電源オフ状態から電源オン状態に切り換えて起動させた際に、全てのデバイスが正常動作状態に到達するまでは、再生ないしは記録を行うことができない。したがって、電源オン状態に切り換えてから再生ないしは記録が可能となるまでに要する時間は、全てのデバイスのうちで一番立ち上がりが遅いデバイスの立ち上がり時間によって律速されることとなる。【０００４】
特に、光ディスクやハードディスク等のディスクが情報記録媒体である映像再生装置や映像記録再生装置では、当該ディスクの回転数が正常に記録再生可能な所定の回転数まで上がるまでに、非常に多くの時間を要するため、電源オン状態に切り換えてからユーザは非常に多くの時間を待たされるという問題がある。【０００５】
そこで、ユーザが待たされる時間を短縮するために、映像再生装置や映像記録再生装置に常時電力を供給して常時ディスクを回転させておけば、応答性が良くなってユーザの利便性が向上する。【０００６】
ところで、最近の映像再生装置や映像記録再生装置は、再生された符号化映像を表示するために接続されたテレビ等の表示装置との連携機能を有している。例えば、表示装置の電源オン状態に連動して、自動的に電源オン状態に設定可能な映像記録再生装置が知られている（例えば、非特許文献１参照）。当該映像記録再生装置は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）のＣＥＣ（Ｃｏｎｓｕｍｅｒ  Ｅｌｅｃｔｒｏｎｉｃｓ  Ｃｏｎｔｒｏｌ）を利用して、表示装置の電源オンに連動して、映像記録再生装置の電源を投入することができる。そのため、ユーザは映像記録再生装置にＨＤＭＩ接続された表示装置を視聴している間は、たとえ、ユーザが視聴している映像が当該映像記録再生装置から再生されたものでは無くて、別ソースの例えばデジタル放送チューナからの映像であったとしても、当該映像記録再生装置は電源オン状態に設定されているので、ユーザは多くの時間を待たされること無く、即座に当該映像記録再生装置のディスクに記録された映像信号を再生して視聴することが可能である。【０００７】
【非特許文献１】Ｐａｎａｓｏｎｉｃ  ＤＶＤレコーダー「ＤＭＲ−ＸＷ３１」取扱説明書、松下電器産業株式会社、ｐ．１１２「ＨＤＭＩ接続」
【発明の開示】
【発明が解決しようとする課題】
【０００８】
しかし、上記のような従来の映像記録再生装置においては、表示装置の電源オンに連動して当該映像記録再生装置を構成する全てのデバイスに対して電力を供給する必要があるため、ユーザが表示装置のみを使用して別ソースの映像を視聴している時間帯にも当該映像記録再生装置において電力が無駄に消費されるという問題があった。すなわち、ユーザ操作に対する応答性は良好であるが、省エネルギー性において問題があった。【０００９】
この発明は、上記のような課題を解決するために為されたもので、情報記録媒体に記録された映像信号を再生する上での省エネルギー性と応答性とを両立させた映像再生装置ないしは映像記録再生装置を提供することを目的とする。
【課題を解決するための手段】
【００１０】
この発明に係る映像再生装置は、記録媒体に記録された映像信号を再生し、再生された前記映像信号を表示する表示装置と接続するための映像再生装置であって、前記表示装置の動作状態情報を取得する動作状態情報取得部と、前記映像再生装置を動作させる操作指示を入力する操作入力部と、前記映像再生装置が前記操作指示に基づいて動作した動作時間情報を取得する動作時間情報取得部と、前記動作時間情報に基づいて、所定時間帯毎にポイントを付与するポイント付与部と、前記所定時間帯毎に付与されたポイントを動作履歴情報として記憶する記憶部と、前記動作履歴情報と前記動作状態情報とに基づいて、前記映像再生装置への電力供給モードを設定するモード設定部とを備えることを特徴とする。
【発明の効果】
【００１１】
この発明によれば、映像再生装置の動作履歴情報と表示装置の動作状態情報とに基づいて映像再生装置への電力供給モードを設定するようにしたので、通常の時間帯は省エネルギー性を確保しつつ、ユーザが映像再生装置を使用する確率の高い時間帯に映像再生装置の応答性を確保でき、省エネルギー性とユーザ操作に対する応答性とを両立させた映像再生装置を得ることができる。
【図面の簡単な説明】
【００１２】
【図１】この発明に係る実施の形態１の映像再生装置の一例の構成を示す構成図である。
【図２】この発明に係る実施の形態１の映像再生装置の動作履歴情報のデータ構造の具体例を図示したものである。
【図３】この発明に係る実施の形態１の映像再生装置の動作履歴情報を更新する際の動作を説明するためのフローチャートである。
【図４】この発明に係る実施の形態１で説明した動作履歴ポイントに基づいて、装置使用確率を算出する方法を図示した説明図である。
【図５】この発明に係る実施の形態１の映像再生装置の動作フローを示すフローチャートである。
【図６】この発明に係る実施の形態２の映像記録再生装置の一例の構成を示す構成図である。
【図７】この発明に係る実施の形態２の映像記録再生装置の動作履歴情報のデータ構造の具体例を図示したものである。
【図８】この発明に係る実施の形態２の映像記録再生装置の動作履歴情報を更新する際の動作を説明するためのフローチャートである。
【図９】この発明に係る実施の形態３の映像再生装置の動作フローを示すフローチャートである。
【符号の説明】
【００１３】
１００  映像再生装置
１０１  再生ディスク
１０２  再生ドライブ部
１０３ａ  システム制御部
１０３ｂ  システム制御部
１０４  記録ディスク
１０５  記録再生ドライブ部
１０６  放送受信部
１１３  表示装置
１２０  メモリ部
１３０ａ  操作部
１３０ｂ  操作部
１４０ａ  サブシステム制御部
１４０ｂ  サブシステム制御部
１４１  時刻取得部
１５１  表示装置情報取得部
１５２ａ  映像再生装置情報取得部
１５２ｂ  映像記録再生装置情報取得部
１５３ａ  動作履歴情報
１５３ｂ  動作履歴情報
【発明を実施するための最良の形態】
【００１４】
例えば光ディスク等の情報記録媒体に符号化して記録された映像音声情報である映像信号を再生する映像再生装置や例えばデジタル放送等から取得した映像音声情報である映像信号を情報記録媒体へ記録する機能をさらに備えた映像記録再生装置において、省エネルギー性を向上させる１つの手段として、「通常モード」、「待機モード」、及び、「省エネルギーモード」と呼ばれる複数の電力供給モードを備えるように映像再生装置や映像記録再生装置を構成することが考えられる。ここで、通常モードとは、映像再生装置や映像記録再生装置を構成する全てのデバイスに電力を供給する通常の動作モードで、ディスクも所定の回転数で回転駆動されており、即座に応答可能な状態となるが、最も多くの電力を消費する状態でもある。次に、待機モードは、一般的にリモコン等によるユーザ操作が可能な状態で待機できるように電力供給するモードであり、ユーザ操作を扱うデバイス以外は電力が供給されておらず、最も省エネルギー効果が期待できる状態が得られる。また、省エネルギーモードは、ユーザ操作を扱うデバイスに加えて、映像再生装置内や映像記録再生装置内で起動に時間を要するデバイスに限定して電力を供給するモードであり、ユーザ操作に対して比較的良好な応答性を確保しながら、省エネルギー効果も待機モードほどでは無いが比較的良好な状態が得られる。【００１５】
以下、この発明の実施の形態による映像再生装置については、情報記録媒体が光ディスクである場合を例とし、この発明の実施の形態による映像記録再生装置については、情報記録媒体がハードディスクである場合を例として、この発明に係る実施の形態を説明する。【００１６】
実施の形態１．
図１は、この発明に係る実施の形態１の映像再生装置の一例の構成を示す構成図である。この映像再生装置１００には、映像を表示可能な例えば液晶パネルやブラウン管モニタ等の表示装置１１３が接続できるようになっている。また、この映像再生装置１００は、上述した「通常モード」、「待機モード」、及び、「省エネルギーモード」と呼ばれる複数の電力供給モードを備えている。【００１７】
図１において、例えば光ディスクである再生ディスク１０１に符号化して記録された映像音声情報である映像信号が、再生ドライブ部１０２によって再生される。再生された映像信号は、符号化された映像が多重化されたストリーム情報と当該ストリーム情報の再生制御情報とからなっている。この再生制御情報は、当該ストリーム情報から分離した符号化映像・音声ストリームに関する映像や音声の属性情報である例えば番組リストや、当該ストリーム情報のアクセス単位であるＧＯＰ（Ｇｒｏｕｐ  ｏｆ  Ｐｉｃｔｕｒｅ）単位で再生開始時間情報と再生開始位置情報との対応関係を示すストリーム制御情報等を保持している。【００１８】
なお、実施の形態１においては、情報記録媒体が光ディスクである場合を例にして説明するが、光ディスクに限定されるわけではなく、例えば、リムーバルなハードディスクや不揮発性半導体メモリを用いたメモリカードやＵＳＢ（Ｕｎｉｖｅｒｓａｌ  Ｓｅｒｉａｌ  Ｂｕｓ）メモリであっても構わない。その場合は、ハードディスクやメモリカード等にはストリーム情報と再生制御情報とが記録されており、それぞれの情報記録媒体に対応する再生ドライブ部１０２を通じて、記録情報の読み出しが行われることとなる。【００１９】
次に、再生ドライブ部１０２から出力されたストリーム情報は、ストリーム制御部１１０ａに入力される。また、再生ドライブ部１０２から出力された再生制御情報は、システム制御部１０３ａに入力される。【００２０】
また、映像再生装置１００は、デジタル放送を受信可能となっており、予めＭＰＥＧ−２  ＴＳ（Ｍｏｖｉｎｇ  Ｐｉｃｔｕｒｅ  Ｅｘｐｅｒｔｓ  Ｇｒｏｕｐ−２  Ｔｒａｎｓｐｏｒｔ  Ｓｔｒｅａｍ）で符号化圧縮されたデジタル放送波が放送受信部１０６で受信される。デジタル放送波は、複数番組の映像音声が多重化されていてもよい。その場合、放送受信部１０６では、デジタル放送波から特定番組のＭＰＥＧ−２  ＴＳのみが抽出される。放送受信部１０６で抽出されたＭＰＥＧ−２  ＴＳのストリーム情報は、ストリーム制御部１１０ａに入力される。なお、映像再生装置１００内のストリーム情報の流れは、ストリーム制御部１１０ａで統括制御されている。【００２１】
ストリーム制御部１１０ａから出力されたストリーム情報は、映像音声デコーダ部１１１に入力されてビデオ信号とオーディオ信号とに復号化される。復号化されたビデオ信号とオーディオ信号とはデジタルインターフェース部１１２に入力される。なお、映像再生装置１００と表示装置１１３とは、映像再生装置１００内のデジタルインターフェース部１１２を介して接続されている。【００２２】
デジタルインターフェース部１１２は、映像音声デコーダ部１１１から入力されたビデオ信号やオーディオ信号をＨＤＭＩに適合した信号に変換する。変換されたビデオ信号やオーディオ信号は表示装置１１３に伝送されて、ユーザの視聴に供される。【００２３】
なお、デジタルインターフェース部１１２の内部に設けられた表示装置通信部１１４は、表示装置１１３と制御情報を通信できるようになっており、その制御情報に基づいて表示装置１１３の動作状態（電源ＯＮ／ＯＦＦの状態、表示画面内容）等を取得できる。例えば、表示装置通信部１１４が用いる通信プロトコルは、ＨＤＭＩの一機能であるＣＥＣと呼ばれる機器制御用の規格が利用される。なお、本発明に係る実施の形態１では、ＨＤＭＩを利用した場合を例に説明するが、表示装置通信部１１４が利用する通信手段は表示装置１１３の動作状態を取得できるものであれば良く、例えば、ＩＥＥＥ１３９４端子を用いた通信や赤外線通信といった通信機構を用いて取得しても良いことは言うまでも無い。また、本発明に係る実施の形態１では、表示装置通信部１１４がデジタルインターフェース部１１２内に設けられているが、必ずしもデジタルインターフェース部１１２内に設けられている必要は無い。【００２４】
なお、再生ドライブ部１０２、放送受信部１０６、ストリーム制御部１１０ａ、映像音声デコーダ部１１１、及び、表示装置通信部１１４を内部に備えるデジタルインターフェース部１１２から構成されたブロックをデコーダブロック１１６ａと以下では呼ぶ。【００２５】
デコーダブロック１１６ａは、システム制御部１０３ａからのデコーダ制御信号に基づいて、ストリーム情報の再生を行う。【００２６】
システム制御部１０３ａは、再生ドライブ部１０２から出力された再生制御情報を入力し、その再生制御情報をメモリ部１２０に記憶させる。システム制御部１０３ａは、メモリ部１２０に記憶された再生対象のストリーム情報に関連する再生制御情報を即座に読み出すことが可能である。【００２７】
映像再生装置１００に対してユーザが動作に関する要求を行う際には、ユーザは操作部１３０ａを操作する。一般的に操作部１３０ａは、映像再生装置１００のフロントパネルに配置されている操作パネルや付属のリモコン等を指す。操作部１３０ａからのユーザの要求は、一旦、サブシステム制御部１４０ａに入力されて、その要求内容が解釈される。当該サブシステム制御部１４０ａは、映像再生装置１００のシステム起動／システム終了を行うことが主な役割である。【００２８】
通常、電力供給モードが待機モードの場合、映像再生装置１００は、サブシステム制御部１４０ａと後述する時刻取得部１４１とメモリ部１２０とだけに常時電源が供給されており、映像再生装置１００自体はわずかな電力しか必要としない。ユーザからの起動要求があった場合、サブシステム制御部１４０ａは、システム制御部１０３ａやデコーダブロック１１６ａをはじめとしたデバイスへの電力供給や起動処理を行う。その後、サブシステム制御部１４０ａは、システム制御部１０３ａに対して、操作部１３０ａから入力されたユーザの要求の内容を送信することで、起動処理を終了する。【００２９】
また、サブシステム制御部１４０ａ内に設けられた表示装置情報取得部１５１は、映像再生装置１００と接続されている表示装置１１３の動作状態を、表示装置１１３から出力され表示装置通信部１１４に入力された表示装置１１３の制御情報に基づいて取得する。当該表示装置情報取得部１５１は、表示装置１１３の電力供給の有無（表示装置１１３が電源オン状態か否かを示す情報）や、表示装置１１３の出力画面情報（ユーザが視聴しているか、外部入力表示をしているか等）、視聴チャンネル情報、表示装置１１３の出力音量レベル等の情報を、表示装置通信部１１４を通じて取得することができる。当該情報は、電力供給モードが待機モードであっても取得することができる。【００３０】
さらに、サブシステム制御部１４０ａ内に設けられた映像再生装置情報取得部１５２ａは、映像再生装置１００の装置動作実績（ユーザの装置使用実績）を取得する。装置動作実績とは、曜日毎に区分けされた所定時間毎の使用時間を数値化したリストであり、過去の所定期間における装置動作時間情報（ユーザの使用時間情報）である。具体的には、映像再生装置１００に電力が供給された時刻を示す情報や電力供給が停止された時刻を示す情報、及び、所定時間毎に一番使用された再生装置動作状態（例えば、光ディスク再生、デジタル放送視聴等）が取得される。これらの取得された情報に基づいて、装置動作実績が作成される。【００３１】
当該装置動作実績は、不揮発性メモリであるメモリ部１２０内に動作履歴情報１５３ａとして記憶される。本実施の形態において、動作履歴情報１５３ａは、システム制御部１０３ａとサブシステム制御部１４０ａとの両方からアクセスできる情報として以下の説明を進めるが、それぞれがアクセスできる別々のメモリに記憶されていても構わないし、サブシステム制御部１４０ａのみがアクセスできる情報として存在しても構わない。【００３２】
なお、表示装置情報取得部１５１及び映像再生装置情報取得部１５２ａは、サブシステム制御部１４０ａ内のファームウェア等で構成される例を本実施の形態では示しているが、サブシステム制御部１４０ａの外部に存在しても構わないし、当該機能を有するハードウェアであっても構わないことは言うまでも無い。【００３３】
次に、図１を用いて、デジタル放送を受信して放送受信部１０６から出力されたストリーム情報と再生ドライブ部１０２によって再生された映像信号含まれるストリーム情報との映像再生装置１００内での流れについて説明する。【００３４】
図１において、映像再生装置１００に接続された表示装置１１３でデジタル放送の番組を視聴するための要求を、ユーザが操作部１３０ａから入力した場合には、操作部１３０ａから入力されたユーザの要求である操作指示は、サブシステム制御部１４０ａで内容が解釈されて、システム制御部１０３ａに当該操作指示に対応する制御信号として伝えられる。システム制御部１０３ａは、当該操作指示に対応するデコーダ制御信号をデコーダブロック１１６ａに送り、デコーダブロック１１６ａ内の放送受信部１０６が、ユーザが視聴しようとするチャンネルの番組を受信する。【００３５】
次に、ユーザが視聴しようとする受信された特定番組のストリーム情報は、ストリーム制御部１１０ａに入力され、さらに、映像音声デコーダ部１１１に送られて復号化され、映像音声デコーダ部１１１からは当該番組に対応するビデオ信号とオーディオ信号とが出力される。当該ビデオ信号と当該オーディオ信号は、デジタルインターフェース部１１２を介して表示装置１１３に送られ、ユーザは表示装置１１３を用いて当該番組を視聴することができる。【００３６】
一方、映像再生装置１００に接続された表示装置１１３で光ディスクである再生ディスク１０１に記録された映像音声情報を視聴するための要求を、ユーザが操作部１３０ａから入力した場合には、操作部１３０ａから入力されたユーザの要求である操作指示は、サブシステム制御部１４０ａで内容が解釈されて、システム制御部１０３ａに当該操作指示に対応する制御信号として伝えられる。システム制御部１０３ａは、当該操作指示に対応するデコーダ制御信号をデコーダブロック１１６ａに送り、デコーダブロック１１６ａ内の再生ドライブ部１０２は、再生ディスク１０１に記録された映像音声情報である映像信号を再生する。再生された映像信号はストリーム情報と再生制御情報とからなっているが、当該ストリーム情報は、ストリーム制御部１１０ａに入力され、さらに、映像音声デコーダ部１１１に送られて復号化され、映像音声デコーダ部１１１からは再生ディスク１０１に記録された映像音声情報に対応するビデオ信号とオーディオ信号とが出力される。当該ビデオ信号と当該オーディオ信号は、デジタルインターフェース部１１２を介して表示装置１１３に送られ、ユーザは表示装置１１３を用いて再生ディスク１０１に記録された映像音声情報を視聴することができる。【００３７】
次に、図１を用いて、再生ディスク１０１を再生する場合の映像再生装置１００の動作について、より詳細に説明する。【００３８】
操作部１３０ａから入力されたユーザ要求である再生ディスク１０１を再生するという操作指示は、サブシステム制御部１４０ａで内容が解釈されて、システム制御部１０３ａに当該操作指示に対応する制御信号として伝えられる。システム制御部１０３ａは、当該操作指示に対応するデコーダ制御信号をデコーダブロック１１６ａに送る。【００３９】
システム制御部１０３ａは、デコーダ制御信号を介して再生ドライブ部１０２に指示を送り、まずは、再生ディスク１０１に記録された再生対象の映像音声情報の映像信号のうちで、当該再生対象のストリーム情報に関連する再生制御情報を、再生ドライブ部１０２を通じて予め再生させて取得しておく。システム制御部１０３ａは、取得された再生制御情報を即座に読み出し可能なように、再生制御情報をメモリ部１２０に記憶保持させる。システム制御部１０３ａは、当該再生制御情報を読み出し、周辺デバイスに対して再生準備を行うように指示する。その後、再生ドライブ部１０２は、再生ディスク１０１に記録されたストリーム情報を再生し、再生されたストリーム情報をストリーム制御部１１０ａに出力する。以後のストリーム情報の流れは既に上述したとおりである。【００４０】
なお、映像音声デコーダ部１１１では、システム制御部１０３ａによって生成される警告表示や装置の動作状態表示や機能選択画面等を表示装置１１３の画面上に表示するためのＯＳＤ（Ｏｎ  Ｓｃｒｅｅｎ  Ｄｉｓｐｌａｙ）画面情報を、復号化されたビデオ信号に重畳して表示するようにしても構わない。【００４１】
次に、メモリ部１２０に記憶されている動作履歴情報１５３ａの具体例について説明する。図２は、この発明に係る実施の形態１の映像再生装置１００の動作履歴情報１５３ａのデータ構造の具体例を図示したものである。動作履歴情報１５３ａは、所定の時間帯毎に区分けされて管理されており、図２に示すように１つの所定時間帯に対応した情報は動作履歴レコード２００と呼ばれる。なお、図２では、動作履歴レコード２００は、２時間／レコードを単位で情報を保持する例を示しているが、１時間／レコードや３０分／レコード等さらに短い単位の時間幅で細分化しても構わない。【００４２】
動作履歴レコード２００は、同時間帯における時刻管理テーブル情報２０１と装置動作情報２０２とから構成される。時刻管理テーブル情報２０１は、時間帯コード２１０、開始終了時刻２１１、静音フラグ２１２等が含まれる。ここで、時間帯コード２１０は、所定の時間帯を一意に特定するための識別情報である。また、開始終了時刻２１１は、時間帯コード２１０の開始時刻と終了時刻とからなり、その時間帯の時間間隔をも示すものである。図２において、例えば時間帯コード２１０のうちのＴ０２は、２：００〜４：００の時間帯を示している。【００４３】
また、静音フラグ２１２は、夜間や早朝等に映像再生装置１００が静粛性を必要とする時間帯か否かを示すフラグ情報である。当該静音フラグ２１２が有効（○）である場合、再生ドライブ部１０２のディスク回転数を低く設定する等の処理を行うことによって、静粛性にも配慮した映像再生装置１００が提供できる。逆に、当該静音フラグ２１２が無効（×）である場合は、再生ドライブ部１０２のディスク回転数は所定の回転数のままである。なお、当該静音フラグ２１２は、システム制御部１０３ａが夜間ということを判定し自動的に設定されるようになっていても構わないし、映像再生装置１００の初期設定画面からユーザが時間帯毎に手動で決定するようになっていても構わない。【００４４】
装置動作情報２０２は、曜日と時間帯で区分けされた映像再生装置１００の動作履歴を表す情報である。装置動作情報２０２は、映像再生装置１００が所定時間毎に一番使用された操作が何であるかを示す再生装置動作状態２２０ａと、今週の動作履歴ポイント２２１、１週間前の動作履歴ポイント２２２、２週間前の動作履歴ポイント２２３とから構成される。【００４５】
なお、動作履歴ポイント２２１、２２２、及び、２２３には、当該時間帯での更新が初回である時点で、初期値として０ポイントが設定されるとともに、０ポイントが設定される前の動作履歴ポイント２２１の値は、１週間前の動作履歴ポイント２２２に付け替えられ、さらに、付け替え前の動作履歴ポイント２２２の値は、２週間前の動作履歴ポイント２２３に付け替えられる。したがって、付け替え前に動作履歴ポイント２２３に設定されていた値は、使用履歴情報１５３ａから削除されることとなる。【００４６】
また、再生装置動作状態２２０ａは、当該時間帯において映像再生装置１００が最も使用された動作状態を示している。例えば、「視聴（チャネル番号）」、「再生（ＤＶＤ）」等の動作状態に係る情報が記録されている。【００４７】
また、動作履歴情報１５３ａは、更新が行われた際には、その都度に最終更新日時情報２３０が記録される。【００４８】
さて、本実施の形態では、再生装置動作状態２２０ａには、それぞれの所定時間帯において最も長い時間使用された動作状態を設定するものとして以下に説明する。なお、このように、長時間使用した動作状態を記録するようにしても良いし、それぞれの所定時間帯の最後に使用された動作状態を記録するようにしても構わない。【００４９】
次に、今週の動作履歴ポイント２２１、１週間前の動作履歴ポイント２２２、及び、２週間前の動作履歴ポイント２２３は、それぞれ、映像再生装置１００の電力供給モードが通常モードである総時間を示しており、１ポイント／分で換算される。すなわち、本実施の形態では、動作履歴レコード２００は２時間（＝２×６０分）を単位としているため、動作履歴ポイント２２１、２２２、及び、２２３は、更新をする際に、それぞれ０から１２０の範囲で値が加算される。例えば、所定の時間帯である２時間のうちで、４５分間使用して動作すれば４５ポイントが計上される。この際、所定の時間帯での動作履歴情報１５３ａの更新が初回の場合は、初期値として０ポイントが設定された上で４５ポイントが加算される。当該所定の時間帯内での更新が２回目以上の場合は、既に設定されている値に４５ポイントがさらに加算される。【００５０】
また、図２に示すように、今週、１週間前、及び、２週間前と、動作履歴ポイントに関する３週間分の情報を記録できるように構成されている。【００５１】
図３は、この発明に係る実施の形態１の映像再生装置１００の動作履歴情報１５３ａを更新する際の動作を説明するためのフローチャートである。【００５２】
前提条件として、映像再生装置１００は、待機モードもしくは省エネルギーモードに設定されているとして、図３を用いて動作履歴情報１５３ａの更新動作を説明する。【００５３】
図３において、まず、サブシステム制御部１４０ａは、待機モードないしは省エネルギーモードから通常モードとなるまで待機する（Ｓ３０１）。サブシステム制御部１４０ａは、操作部１３０ａの起動スイッチがオンとなって通常モードに設定され、映像再生装置１００全体に電力供給されると、時刻取得部１４１から現在時刻情報を取得する（Ｓ３０２）。【００５４】
次に、動作履歴情報１５３ａに関して、最終更新日時情報２３０に記録された時刻から現在時刻までの時間帯に対応する動作履歴レコード２００が更新される（Ｓ３０３）。【００５５】
ここで、図２に示す動作履歴情報１５３ａを用いて、１０：００から２２：００までの時間帯について、以下に説明する。【００５６】
この時間帯の動作及び前提条件としては、最終更新日時情報２３０には２００７年８月１３日月曜日の９：３０が設定され、その後、映像再生装置１００は待機モードないしは省エネルギーモードとなっており、同日の１６：３０に手動で操作部１３０ａの起動スイッチがオンとされ、その後、２１：００までＤＶＤに記録されている映像音声情報に基づく番組を視聴していたものとする。【００５７】
最終更新日時情報２３０は２００７年８月１３日の９：３０、起動スイッチがオンとなった時刻は同日の１６：３０であるため、時間帯コード２１０がＴ０６の時間帯の動作履歴レコード２００から時間帯コード２１０がＴ０８の時間帯の動作履歴レコード２００までの今週の動作履歴ポイント２２１は確定される。実際には、映像再生装置１００は待機モードであったので、Ｔ０６からＴ０８の時間帯の更新はいずれも初回であり、履歴レコード２００の動作履歴ポイント２２１には、初期値の０ポイントに０ポイントが加算されて０ポイントのままとなる。【００５８】
その後、サブシステム制御部１４０ａは、起動スイッチがオンとなって通常モードに設定された以降の再生装置動作状態毎に動作時間を監視し（Ｓ３０４）、各々の時間帯コード２１０に対応する動作履歴レコード２００の動作履歴ポイント２２１が順次確定される。【００５９】
そして、サブシステム制御部１４０ａは、時間帯コード２１０がＴ０９からＴ１０の時間帯において、最も長時間にわたって映像再生装置１００が動作していた動作状態である「再生（ＤＶＤ）」を、再生装置動作状態２２０ａに設定する。【００６０】
その後、現在時刻が２１：００になると、起動スイッチをオフにして待機モードに移行する操作指示をユーザが操作部１３０ａに入力するものとする。すると、サブシステム制御部１４０ａは、操作部１３０ａの起動スイッチがオフとなったことを認識すると（Ｓ３０５）、時刻取得部１４１から現在時刻情報を取得する（Ｓ３０６）。【００６１】
次に、時間帯コード２１０がＴ１１の時間帯の動作履歴ポイント２２１を「再生（ＤＶＤ）」の動作状態であった１時間に対応する６０ポイントに設定し、２０：００〜２２：００の時間帯で最も長時間使用された映像再生装置１００の動作状態を再生装置動作状態２２０ａに記録し、さらに、現在時刻を最終更新日時情報２３０に設定することで、動作履歴情報１５３ａを更新する（Ｓ３０７）。その後に、映像再生装置１００の電力供給モードは待機モードに移行する。【００６２】
図４は、この発明に係る実施の形態１で説明した動作履歴ポイント２２１、２２２、及び、２２３に基づいて、映像再生装置１００の装置使用確率４１０を算出する方法を図示した説明図である。【００６３】
今週の動作履歴ポイント２２１に対する重み付け係数４０１の値であるＸ、１週間前の動作履歴ポイント２２２に対する重み付け係数４０２の値であるＹ、及び、２週間前の動作履歴ポイント２２３に対する重み付け係数４０３の値であるＺを用いて、図４に示す計算によって装置使用確率４１０は算出される。これらの重み付け係数の値であるＸ、Ｙ、及び、Ｚは、過去の履歴であるほど、小さい値が設定される。これらの係数は映像再生装置１００が予め初期値を保持していても構わないし、ユーザの操作指示によって、操作部１３０ａへの入力に基づいて設定されても構わない。【００６４】
装置使用確率４１０は、図４に示されるように、「動作履歴ポイント２２１×重み付け係数４０１＋動作履歴ポイント２２２×重み付け係数４０２＋動作履歴ポイント２２３×重み付け係数４０３」で算出される。【００６５】
具体的には、図４及び図２の時間帯コード２１０がＴ０４の時間帯である動作履歴レコード２００に対して、装置使用確率４１０を算出すると、図４に示すように、８６．２５という値となる。【００６６】
図５は、この発明に係る実施の形態１の映像再生装置１００の動作フローを示すフローチャートである。図５を用いて、映像再生装置１００の電力供給モードが待機モードから省エネルギーモードに遷移する動作を詳細に説明する。なお、当該フローチャートの開始要件として、電力供給モードは最初は待機モードであるものとする。【００６７】
まず、サブシステム制御部１４０ａは、時刻取得部１４１から現在時刻を取得する（Ｓ５０１）。その後、サブシステム制御部１４０ａは、現在時刻から一番近い未来に設定されている時間帯コード２１０の時間帯の開始時刻に至るまでは、ユーザによる操作部１３０ａへの操作指示の入力に対して待機状態を保ちながら、当該開始時刻になるのを待つ（Ｓ５０２）。そして、当該時間帯コード２１０の時間帯の開始時刻に至ると、サブシステム制御部１４０ａは、メモリ部１２０に記憶された映像再生装置１００の動作履歴情報１５３ａを読み出し、当該動作履歴情報１５３ａの当該時間帯コード２１０の時間帯に対応する動作履歴レコード２００に含まれる動作履歴ポイント２２１、２２２、及び、２２３の値に基づいて、図４に示された重み付け係数４０１、４０２、及び、４０３と図４に示された装置使用確率４１０の算出方法を用いて、装置使用確率４１０が算出される（Ｓ５０３）。【００６８】
次に、サブシステム制御部１４０ａは、算出された装置使用確率４１０と、予め保持している所定の第１のレベルとを比較する（Ｓ５０４）。なお、所定の第１のレベルは、動作履歴情報１５３ａに含まれる動作履歴ポイント２２１，２２２、及び、２２３の値の平均値等から自動的に算出するようにしても良いし、ユーザが操作部１３０ａに入力して設定するようにしても良い。【００６９】
装置使用確率４１０の値が所定の第１のレベル以上であった場合、現在時刻において映像再生装置１００が使用される確率が高いと判断し、ステップＳ５０４からステップＳ５０５に遷移する。また、装置使用確率４１０の値が所定の第１のレベル未満であった場合は、ステップＳ５０１に戻って、上述した処理が繰り返される。【００７０】
以上のような動作フローを構成することで、映像再生装置１００が後述する表示装置１１３と不要な通信を行うことを防ぐことができるため、サブシステム制御部１４０ａの負荷を抑制することができる。【００７１】
ステップＳ５０４からステップＳ５０５に遷移した後は、サブシステム制御部１４０ａ内に設けられた表示装置情報取得部１５１において、表示装置１１３の電源供給可否情報及び表示画面情報等の動作状態の情報を取得する（Ｓ５０５）。なお、この際に、表示装置１１３の画面表示内容、受信チャンネル、出力音声レベル等の表示装置状態を取得しても構わない。【００７２】
次に、表示装置情報取得部１５１で取得された表示装置１１３の動作状態の情報に基づいて、表示装置１１３が電源オン状態であり、画面表示動作が行える状態にあるか否かを判断する（Ｓ５０６）。表示装置１１３が正常動作した状態であれば、ステップＳ５０７に遷移する。一方、表示装置１１３が待機モードもしくは電源オフ状態の場合には、再度ステップＳ５０１から処理が繰り返される。【００７３】
そして、ステップＳ５０７においては、現在時刻が属する時間帯コード２１０の時間帯の動作履歴レコード２００に含まれる静音フラグ２１２の情報を、サブシステム制御部１４０ａは取得し、静音フラグ２１２が無効（×）に設定されている場合は、ステップＳ５０８へ遷移し、静音フラグ２１２が有効（○）に設定されている場合は、ステップＳ５０９に遷移する。【００７４】
ステップＳ５０８では、映像再生装置１００の電力供給モードを待機モードから省エネルギーモードに設定変更した後、ステップＳ５１０に遷移する。一方、ステップＳ５０９では、映像再生装置１００の電力供給モードを待機モードから再生ドライブ部１０２のディスク回転数を減少させる等の静粛性への配慮を伴った省エネルギーモードに設定変更を行い、その後にステップＳ５１０に遷移する。なお、省エネルギーモードに設定変更する際には、同時間帯における動作履歴レコード２００の再生装置動作状態２２０ａに基づいた映像再生装置１００の動作状態が正常に動作するための構成デバイスのみに対して、電力供給及び起動を行っても良い。例えば、ＤＶＤ再生を行っている場合は放送受信部１０６の動作は不要であるため、放送受信部１０６を構成するデバイスの起動を行わない等の処理を行っても良い。【００７５】
また、表示装置情報取得部１５１で取得された表示装置１３１の出力音声レベルが高い場合、静音フラグ２１２が有効（○）であっても、ステップＳ５０７からステップＳ５０８に遷移するように構成しても構わない。【００７６】
そして、装置使用確率４１０が所定の第１のレベル以上の値を連続した時間帯コード２１０の時間帯の終了時刻まで、省エネルギーモードを継続する（Ｓ５１０）。なお、その継続中に、ユーザによる操作部１３０ａへの操作指示の入力により、映像再生装置１００の起動スイッチがオンとなると、省エネルギーモードを解除して通常モードに設定変更することとなる。さらに、時間帯コード２１０の時間帯の終了時刻に到達した時点では、ステップＳ５１０からステップＳ５１１に遷移し、電力供給モードを待機モードに設定変更する。【００７７】
なお、上記で説明した時間帯コード２１０の時間帯の終了時刻については、次の時間帯での動作の前に、一旦、電力供給モードを待機モードに設定することとしているため、実際の時間帯の終了時刻よりも僅かに早い時刻に終了時刻に至ったとみなすようにしている。例えば、図２において、時間帯コード２１０がＴ０７であれば時間帯は１２：００から１４：００であるが、図５に示す動作フローでのステップＳ５０２では、現時時刻が１２：００に至った時点で指定開始時刻に至ったと判断するのに対し、ステップＳ５１０では、現在時刻が１４：００よりも僅かに早い例えば１３：５９に至った時点で指定終了時刻に至ったとみなす判断をするようにしている。【００７８】
以上のように、実施の形態１に係る映像再生装置１００においては、映像再生装置１００の装置動作実績の高い時間帯と表示装置１１３の表示動作状態（電源供給有無と表示内容）とを判別できるため、ユーザが映像再生装置１００を使用する確率が真に高い時間帯に限り、映像再生装置１００の電力供給モードを待機モードから省エネルギーモードに設定変更することができる。したがって、ユーザ操作の応答性を維持しながらも、省エネルギー効果の高い映像再生装置１００を提供できるという効果を奏する。【００７９】
また、装置使用確率４１０は、映像再生装置１００で自動的に更新されるため、ユーザによる特別な操作が一切不要であり、手間がかからないという効果がある。さらに、当該装置使用確率４１０は、一定期間の過去の統計情報から最新情報に重みを付けて算出されるため、新しい情報データを重要視しながらも、新しい情報データのみに頼ることが無いので、信頼性の高い統計情報として得ることができる。【００８０】
なお、省エネルギーモードに移行した際には、深夜や早朝等の時間帯では静音フラグ２１２を用いて静粛性の高い状態に移行することができる。これにより、ディスク回転数が低く抑えられて、ユーザの快適性が向上する。また、ディスク回転数を少なくすることで、映像再生装置１００の発熱量も抑えられるので、周囲の機器に対しての影響も軽減できる。一方、表示装置１１３の出力音声レベルが高い場合には、静粛性は低いがユーザ操作の応答性が高い状態に移行することができる。【００８１】
また、省エネルギーモードに設定変更する際には、同時間帯における動作履歴レコード２００の再生装置動作状態２２０ａに基づいた映像再生装置１００の動作状態が正常に動作するための構成デバイスのみに対して、電力供給及び起動を行うようにした場合は、過去の同時間帯において最も操作指示された実績の高い動作に関するデバイスのみを起動することとなるので、映像再生装置１００全体の消費電力を削減することができる。【００８２】
さらに、ユーザが映像再生装置１００の電源を切り忘れた場合においても、表示装置１１３への映像出力可否状態や、ユーザが操作指示の入力を行わない時間に基づいて、映像再生装置のユーザによる使用が行われていないことが判別可能である。映像再生装置１００がユーザにより使用されていないと判断された場合には、自動的に電力供給モードを待機モードに遷移させるため、無駄な電力消費を抑制することができる。それに加えて、装置使用確率４１０の統計情報としての信頼性も高くすることができるという効果を奏する。【００８３】
実施の形態２．
この発明に係る実施の形態１では、情報記録媒体が光ディスクである場合を例とし、再生ディスクが光ディスクであり、光ディスクに記録された映像音声情報を再生ドライブ部により再生する映像再生装置について説明した。実施の形態２では、情報記録媒体がハードディスクである場合を例とし、例えば、デジタル放送を受信して得られた番組の映像音声情報を当該ハードディスクに記録可能であり、当該ハードディスクに記録された映像音声情報を再生可能な記録再生ドライブ部を備えた映像記録再生装置について説明する。【００８４】
なお、実施の形態２に係る映像記録再生装置においては、情報記録媒体はハードディスクに限られるものではなく、映像音声情報の記録と再生が可能な例えば光ディスクであっても良いのは言うまでも無い。【００８５】
図６は、この発明に係る実施の形態２の映像記録再生装置の一例の構成を示す構成図である。実施の形態２の映像記録再生装置１８０は、実施の形態１の映像再生装置１００とは、情報記録媒体が記録可能な記録ディスク１０４である例えばハードディスクである点、それに対応して、再生ドライブ部１０２に代えて記録及び再生可能な記録再生ドライブ部１０５を備える点、ストリーム制御部１１０ｂは記録再生ドライブ部からの再生されたストリーム情報を入力できるだけでなく、放送受信部１０６からのデジタル放送の番組のストリーム情報を記録再生ドライブ部１０５に出力できるように構成されている点、システム制御部１０３ｂはストリーム制御部１１０ｂから通知された再生制御情報を記録再生ドライブ部１０５に出力する点、操作部１３０ｂはデジタル放送の受信の操作指示や再生ディスクの再生の操作指示に加えて、記録ディスク１０４への記録の操作指示が可能となっている点、サブシステム制御部１４０ｂは操作部１３０ｂから入力された記録に関する操作指示も解釈可能となっている点、映像記録再生装置情報取得部１５２ｂは映像記録再生装置１８０の記録に関する動作状態の情報を取得可能となっている点、及び、デコーダブロック１１６ｂはシステム制御部１０３ｂから出力されたデコーダ制御信号に基づいてストリーム情報の記録再生を行う点とを除いては、実質的に略同じ構成となっている。この映像記録再生装置１８０も、実施の形態１の映像再生装置１００と同様に、「通常モード」、「待機モード」、及び、「省エネルギーモード」と呼ばれる複数の電力供給モードを備えている。なお、図１と同一符号は同一または相当部分を示すので説明を省略する。【００８６】
図６において、例えばハードディスクである記録ディスク１０４に放送受信部１０６で受信されたデジタル放送の映像音声情報を記録する場合について、以下に説明する。【００８７】
ユーザが操作部１３０ｂにデジタル放送を記録ディスク１０４に記録する操作指示を入力すると、その操作指示はサブシステム制御部１４０ｂで解釈される。当該サブシステム制御部１４０ｂは、当該操作指示の内容を制御信号としてシステム制御部１０３ｂに送信する。システム制御部１０３ｂは、デコーダブロック１１６ｂに当該操作指示に基づいたデコーダ制御信号を送信する。【００８８】
次に、デコーダブロック１１６ｂ内の放送受信部１０６は、デコーダ制御信号に基づいて、デジタル放送を受信し、受信された映像音声情報のストリーム情報をストリーム制御部１１０ｂに出力する。当該ストリーム情報は、記録再生ドライブ部１０５に送られて、ハードディスクである記録ディスク１０４に記録される。ストリーム制御部１１０ｂは、システム制御部１０３ｂに対して、アクセス単位であるＧＯＰ単位毎に再生制御情報を構成する再生開始時間情報、再生開始位置情報、及び、映像情報の属性情報等を通知する。その後、システム制御部１０３ｂは、通知された当該再生制御情報を記録再生ドライブ部１０５に送り、記録ディスク１０４に逐次記録することで、記録動作が行われる。【００８９】
記録ディスク１０４に記録された映像音声情報を再生する映像記録再生装置１８０の動作については、実施の形態１の映像再生装置１００の場合と同様であるので、説明を省略する。【００９０】
上記では、ユーザの記録に関する操作指示が操作部１３０ｂに入力された際に、デジタル放送の映像音声情報が記録ディスク１０４にリアルタイムに記録されるように映像記録再生装置が動作する場合について説明したが、予めユーザが操作部１３０ｂに予約録画の操作指示を入力しておき、予約録画の開始時刻と終了時刻に基づいて、映像記録再生装置１８０が動作する場合について、以下に説明する。【００９１】
図６において、サブシステム制御部１４０ｂは、予約録画開始時において映像記録再生装置１８０を起動する役割も担っている。ユーザが操作部１３０ｂに予約録画の操作指示とその設定内容である予約録画の開始時刻と終了時刻とを入力すると、サブシステム制御部１４０ｂは、メモリ部１２０にその設定内容を記憶させる。【００９２】
次に、サブシステム制御部１４０ｂは、時刻取得部１４１から現在時刻を取得し、予約録画の開始時刻と逐次比較することで、映像記録再生装置１８０の起動時刻を知る。すなわち、現在時刻が予約録画の開始時刻に一致すると、サブシステム制御部１４０ｂは、映像記録再生装置１８０の起動時刻に達したと判断して、操作部１３０ｂの起動スイッチがオンとなったとみなす処理をする。予約録画の終了時についても、同様の処理を行うものとし、現在時刻が予約録画の終了時刻に一致すると、サブシステム制御部１４０ｂは、映像記録再生装置１８０の終了時刻に達したと判断して、操作部１３０ｂの起動スイッチがオフとなったとみなす処理をする。【００９３】
なお、サブシステム制御部１４０ｂ内に設けられた映像記録再生装置情報取得部１５２ｂは、映像記録再生装置１８０の装置動作実績（ユーザの装置使用実績）を取得する。実施の形態２における映像記録再生装置１８０での装置動作実績は、実施の形態１において説明した映像再生装置１００での装置動作実績と基本的には同様であり、映像音声情報の録画という動作が加わる点のみが異なる。この場合の録画は、リアルタイムでの録画と予約録画との両方を含む。【００９４】
図７は、メモリ部１２０に記憶されている映像記録再生装置１８０の動作履歴情報１５３ｂのデータ構造の具体例を図示したものである。なお、図２と同一符号は同一または相当部分を示すので説明を省略する。【００９５】
図７において、動作履歴情報１５３ｂは、所定の時間帯毎に区分けされて管理されており、実施の形態１において説明した図２に示す動作履歴情報１５３ａとは、録画に関する動作以外は同様である。図８に示す映像記録再生装置１８０の動作履歴情報１５３ｂのうちの記録再生装置動作状態２２０ｂには、映像音声情報の録画という動作が実施の形態１における再生装置動作状態２２０ａの場合の動作に加わることとなる。【００９６】
次に、今週の動作履歴ポイント２２１、１週間前の動作履歴ポイント２２２、及び、２週間前の動作履歴ポイント２２３についてのポイントの与え方については、動作状態が映像再生装置１００と同様である「視聴（チャネル番号）」及び「再生（ＨＤ）」の場合については、映像記録再生装置１８０においても同様の考え方で、それぞれ、映像記録再生装置１８０の電力供給モードが通常モードである総時間を示しており、１ポイント／分で換算される。すなわち、本実施の形態では、動作履歴レコード２００は２時間（＝２×６０分）を単位としているため、動作履歴ポイント２２１、２２２、及び、２２３は、それぞれ０から１２０の範囲で値が加算される。また、対象とする時間帯の更新が初回の場合は、初期値として０ポイントが設定された上で加算され、当該時間帯内での更新が２回目以上の場合は、既に設定されている値にさらに加算する。【００９７】
一方、映像記録再生装置１８０が予約録画の開始時刻に達したことで操作部１３０ｂの起動スイッチがオンとみなされ、電力供給モードが待機モードないしは省エネルギーモードから通常モードになった場合は、ユーザが映像記録再生装置１８０の近くには不在である可能性が高く、その結果、ユーザが直接的に映像記録再生装置１８０の操作をする可能性が低いため、通常のポイントの与え方とは異なって、ポイントを少なめに設定するようにしても良い。例えば、映像記録再生装置１８０が予約録画で通常モードに移行した場合は、動作履歴ポイント２２１、２２２、及び、２２３は、通常のポイントに重み付け係数（１．０よりも小さい値：本実施の形態では０．５と設定）を掛け合せた値が加算される。【００９８】
例えば、図７に示す時間帯コード２１０がＴ０５の時間帯の今週の動作履歴ポイント２２１は、予約録画を８：３０から９：３０の６０分間のみ行った場合の例である。映像記録再生装置１８０がデジタル放送の視聴やＤＶＤやＨＤＤの再生として動作した場合は、通常のポイントである６０ポイントが与えられるが、当該時間帯においては映像記録再生装置１８０が予約録画として動作したので、６０ポイントに重み付け係数０．５を掛け合せた３０ポイントが加算されることとなる。なお、当該時間帯での更新は初回であるので、初期値の０ポイントに設定された上で３０ポイントが加算される。このように、直接的に映像記録再生装置１８０をユーザが操作する確率に配慮した動作履歴情報１５３ｂを、メモリ部１２０に記憶することができる。【００９９】
図８は、この発明に係る実施の形態２の映像記録再生装置１８０の動作履歴情報１５３ｂを更新する際の動作を説明するためのフローチャートである。映像再生装置１００の更新する際の動作を説明するためのフローチャートである図３とは、予約録画の有無を判定するステップが追加される点が異なる。【０１００】
図８において、まず、サブシステム制御部１４０ｂは、待機モードないしは省エネルギーモードから通常モードとなるまで待機する（Ｓ６０１）。サブシステム制御部１４０ｂは、操作部１３０ｂの起動スイッチがオンとなって通常モードに設定され、映像記録再生装置１８０全体に電力供給されると、次に、電源オン状態となったのがユーザの要求によるものか予約録画によるものかを判定し、当該判定結果をメモリ部１２０に記憶する（Ｓ６０２）。【０１０１】
その後、サブシステム制御部１４０ｂは、時刻取得部１４１から現在時刻情報を取得し（Ｓ６０３）、動作履歴情報１５３ｂの最終更新日時情報２３０から現在時刻までの時間帯に対応する動作履歴レコード２００を更新する（Ｓ６０４）。【０１０２】
ここで、図７に示す動作履歴情報１５３ｂを用いて、８：００から１０：００の時間帯コードがＴ０５の時間帯について、図８のフローチャートに示す映像記録再生装置１８０の動作履歴情報１５３ｂを更新する際の動作を、以下に詳細に説明する。【０１０３】
この時間帯の動作及び前提条件としては、ユーザによって操作部１３０ｂを用いて２００７年８月１３日月曜日の８：３０から９：３０まで予約録画が設定されているものとする。すなわち、最終更新日時情報２３０には２００７年８月１３日月曜日の８：００が設定されており、その後に、８：００から８：３０までは電力供給モードは待機モードとなっており、予約録画の開始時刻である８：３０に達した時点で起動スイッチがオンとなったとみなされて通常モードに移行するものとする。さらに、同日の９：３０に予約録画の終了時刻に達して電力供給モードは起動スイッチがオフとなったとみなされて待機モードに移行するものとする。さらに、同日の１６：３０に手動で操作部１３０ｂの起動スイッチがオンとされ、その後、２１：００までハードディスクである記録ディスク１０４に記録されている映像音声情報に基づく番組を視聴していたものとする。【０１０４】
最終更新日時情報２３０は２００７年８月１３日の８：００、現在時刻が予約録画の開始時刻に達して操作部１３０ｂの起動スイッチがオンとみなされたのが同日の８：３０であるため、時間帯コードＴ０５の時間帯の動作履歴ポイント２２１の更新が行われる。当該時間帯の初回の更新であるので、０ポイントが設定される。【０１０５】
次に、サブシステム制御部１４０ｂは、起動スイッチがオンとなって通常モードに設定された以降の記録再生装置動作状態毎に動作時間を監視し（Ｓ６０５）、各々の時間帯コード２１０に対応する動作履歴コード２００の動作履歴ポイント２２１が順次確定される。【０１０６】
具体的には、映像記録再生装置１８０は、８：３０から９：３０まではハードディスクである記録ディスク１０４に予約録画が行われるので、９：３０に起動スイッチがオフとみなされ（Ｓ６０６）、その時点の現在時刻である９：３０が時刻取得部１４１から取得される（Ｓ６０７）。計測された予約録画の動作時間は６０分であり、重み付け係数は０．５であるので、６０ポイントに掛け合された３０ポイントが時間帯コードＴ０５の時間帯の動作履歴ポイント２２１に加算され、既に設定されている０ポイントに当該３０ポイントが加算されて、３０ポイントとなる。動作履歴情報１５３ｂが更新される（Ｓ６０８）。【０１０７】
さらに、９：３０に起動スイッチがオフとみなされることで、映像記録再生装置１８０は、電力供給モードが通常モードから待機モードに移行する。【０１０８】
その後、サブシステム制御部１４０ｂは、起動スイッチがオンとなるのを再び監視し（Ｓ６０１）、１６：３０に手動で操作部１３０ｂの起動スイッチがオンとされると、予約録画の有無を判定する（Ｓ６０２）。【０１０９】
次に、サブシステム制御部１４０ｂは、時刻取得部１４１から現在時刻情報を取得し（Ｓ６０３）、映像記録再生装置１８０の動作履歴情報１５３ｂの更新を行う（Ｓ６０４）。現在時刻が１６：３０であるため、時間帯コード２１０がＴ０５の時間帯の動作履歴レコード２００から時間帯コード２１０がＴ０８の時間帯の動作履歴レコード２００までの今週の動作履歴ポイント２２１は確定される。実際には、Ｔ０５の時間帯の今週の動作履歴ポイント２２１は３０ポイントとなり、Ｔ０６からＴ０８の時間帯の今週の動作履歴ポイント２２１はいずれも０ポイントとなる。【０１１０】
次に、サブシステム制御部１４０ｂは、起動スイッチがオンとなって通常モードに設定された以降の記録再生装置動作状態毎に動作時間を監視し（Ｓ６０５）、各々の時間帯コード２１０に対応する動作履歴レコード２００の動作履歴ポイント２２１が順次確定される。【０１１１】
そして、サブシステム制御部１４０ｂは、時間帯コード２１０がＴ０９からＴ１０の時間帯において、最も長時間にわたって映像記録再生装置１８０が動作していた動作状態である「再生（ＨＤ）」を、記録再生装置動作状態２２０ｂに設定する。【０１１２】
その後、現在時刻が２１：００になると、起動スイッチをオフにして待機モードに移行する操作指示をユーザが操作部１３０ｂに入力するものとする。すると、サブシステム制御部１４０ｂは、操作部１３０ｂの起動スイッチがオフとなったことを認識すると（Ｓ６０６）、時刻取得部１４１から現在時刻情報を取得する（Ｓ６０７）。【０１１３】
次に、時間帯コード２１０がＴ１１の時間帯の動作履歴ポイント２２１を「再生（ＨＤ）」の動作状態であった１時間に対応する６０ポイントに設定し、２０：００〜２２：００の時間帯で最も長時間使用された映像記録再生装置１８０の動作状態を記録再生装置動作状態２２０ｂに記録し、さらに、現在時刻を最終更新日時情報２３０に設定することで、動作履歴情報１５３ｂを更新する（Ｓ６０８）。その後に、映像記録再生装置１８０の電力供給モードは待機モードに移行する。【０１１４】
ユーザが予約録画を設定した場合には、映像記録再生装置が録画を行う際には、ユーザは当該映像記録再生装置の近くにはいない可能性が高いのが通常である。したがって、予約録画の場合は、ユーザが直接当該映像記録再生装置を操作可能な場合に比べて、応答性をそれほど高くせずに省エネルギーせいを高くする方が望ましい。そこで、以上のように、予約録画の場合は、ユーザが直接録画操作を行える場合よりも付与するポイントを小さくすることにより、応答性をそれほど損なうこと無しに、省エネルギー性の向上をさらに図ることができる。【０１１５】
実施の形態３．
実施の形態１に係る映像再生装置１００及び実施の形態２に係る映像記録再生装置１８０においては、接続されている表示装置１１３の動作状態の情報に基づいて、映像再生装置１００ないしは映像記録再生装置１８０をユーザが使用する可能性が高いと判断された場合に、電力供給モードを待機モードから省エネルギーモードに移行できるようにしているが、逆に、ユーザが使用する可能性が低いと判断された場合に、通常モードや省エネルギーモードから待機モードに移行できるようにしても、応答性をそれほど損なうこと無く、省エネルギー性の向上を図ることができる。【０１１６】
図９は、この発明に係る実施の形態３の映像再生装置の動作フローを示すフローチャートである。図９を用いて、実施の形態３に係る映像再生装置の電力供給モードが通常モードや省エネルギーモードから待機モードに遷移する動作を詳細に説明する。なお、当該フローチャートの開始要件として、電力供給モードは最初は通常モードないしは省エネルギーモードのいずれかであるものとする。【０１１７】
ところで、実施の形態３に係る映像再生装置は、実施の形態１に係る映像再生装置１００と、構成は同じで動作フローのみが異なるので、図１に示す映像再生装置１００が実施の形態３に係る映像再生装置であるとして、以下に、電力供給モードが遷移する動作について、図９及び図１を用いて説明する。なお、以下の説明では、映像再生装置の場合についてのみ説明するが、図９に示す動作フローは、映像記録再生装置であっても適用できることは言うまでも無い。【０１１８】
図９において、まず、サブシステム制御部１４０ａは、時刻取得部１４１から現在時刻を取得する（Ｓ７０１）。次に、サブシステム制御部１４０ａは、ユーザが最後に操作した時刻と現在時刻との差分から、一定時間ユーザ操作が無いと判断された場合には、ステップＳ７０３に遷移する。一方、一定時間の間にユーザ操作が行われた場合は、再度ステップＳ７０１から処理が行われる。【０１１９】
その後、サブシステム制御部１４０ａ内に設けられた表示装置情報取得部１５１において、表示装置１１３の電源供給可否情報及び表示画面情報等の動作状態の情報を取得する（Ｓ７０３）。なお、この際に、表示装置１１３の画面表示内容、受信チャンネル、出力音声レベル等の表示装置状態を取得しても構わない。【０１２０】
次に、表示装置情報取得部１５１で取得された表示装置１１３の動作状態の情報に基づいて、表示装置１１３が電源オン状態であり、画面表示動作が行える状態にあるか否かを判断する（Ｓ７０４）。表示装置１１３が表示動作を行っていない場合、ステップＳ７０５に遷移する。一方、表示装置１１３が表示動作を行っている場合には、再度ステップＳ７０１から処理が繰り返される。【０１２１】
そして、ステップＳ７０５においては、サブシステム制御部１４０ａは、メモリ部１２０に保持されている動作履歴情報１５３ａを取得し、図４に示して説明した装置使用確率４１０を算出する（Ｓ７０５）。【０１２２】
次に、サブシステム制御部１４０ａは、算出された装置使用確率４１０と、予め保持している所定の第２のレベルとを比較する（Ｓ７０６）。なお、当該所定の第２のレベルは、実施の形態１において説明した所定の第１のレベルよりも小さい値に設定されている。【０１２３】
装置使用確率４１０が所定の第２のレベル以下であった場合、現在時刻において映像再生装置１００をユーザが使用する確率が低いと判断し、ステップＳ７０７に遷移し、映像再生装置１００を待機モードに設定する。一方、装置使用確率４１０が所定の第２のレベルよりも大きい場合は、再度ステップＳ７０１から処理が繰り返される。【０１２４】
実施の形態３に係る映像再生装置１００は、以上のように動作するように構成されているので、映像再生装置１００をユーザが使用する時間が少ない時間帯であって、表示装置１１３も停止中である場合には、ユーザが映像再生装置を操作する確率が極めて低いので、電力供給モードが通常モードないしは省エネルギーモードから待機モードに設定されることとなり、応答性がそれほど必要とされない状況で省エネルギー性を極めて高くすることができるという効果がある。なお、図９に示す動作フローを映像記録再生装置１８０に適用しても同様の効果が得られることは言うまでも無い。
【図１】
2009028312.tif 000003
【図２】
2009028312.tif 000004
【図３】
2009028312.tif 000005
【図４】
2009028312.tif 000006
【図５】
2009028312.tif 000007
【図６】
2009028312.tif 000008
【図７】
2009028312.tif 000009
【図８】
2009028312.tif 000010
【図９】
2009028312.tif 000011
【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
記録媒体に記録された映像信号を再生する映像再生装置であって、
再生された前記映像信号を表示する表示装置の動作状態情報を取得する動作状態情報取得部と、
前記映像再生装置を動作させる操作指示を入力する操作入力部と、
前記動作状態情報に基づいて、前記映像再生装置への電力供給モードを設定するモード設定部と、を備えることを特徴とする映像再生装置。
【請求項２】
前記映像再生装置が前記操作指示に基づいて動作した動作時間情報を取得する動作時間情報取得部と、
前記動作時間情報に基づいて、所定時間帯毎にポイントを付与するポイント付与部と、 前記所定時間帯毎に付与されたポイントを動作履歴情報として記憶する記憶部と、
前記動作履歴情報と前記動作状態情報とに基づいて、前記映像再生装置への電力供給モードを設定するモード設定部と、
をさらに備えることを特徴とする請求項１に記載の映像再生装置。
【請求項３】
前記電力供給モードは、
映像再生装置を構成する複数のデバイスの全てに電力を供給する通常モードと、
前記複数のデバイスのうちで操作入力部を動作可能とするデバイスのみに電力を供給する待機モードと、
前記複数のデバイスのうちで操作入力部を動作可能とするデバイスと所定動作開始までに待ち時間を要するデバイスとに電力を供給する省エネルギーモードとを備え、
前記操作指示は、前記映像再生装置が記録された映像信号を再生するための再生指示を含むことを特徴とする請求項２に記載の映像再生装置。
【請求項４】
前記動作状態情報は、表示装置が動作中か停止中かを判別して得られるものであり、
前記動作時間情報は、操作指示による映像再生装置の動作開始時刻と動作終了時刻とを含むものであり、
前記ポイント付与部で付与された所定時間帯毎のポイントは、前記動作開始時刻と前記動作終了時刻とから、前記時間帯毎に前記映像再生装置の使用確率を算出して得られるものであって、
前記モード設定部は、前記ポイントが所定の第１のレベル以上であり、かつ、前記動作状態情報が動作中と判別して得られた場合に、電力供給モードを前記省エネルギーモードに設定すること
を特徴とする請求項３に記載の映像再生装置。
【請求項５】
前記ポイント付与部は、前記動作時間情報の履歴が新しい場合にポイントに重み付けをすることを特徴とする請求項２に記載の映像再生装置。
【請求項６】
記憶部は、記録媒体のドライブを再生時の回転数よりも低下させるか否かを判別するための静音フラグ情報を所定時間帯毎に前記動作履歴情報に追加して記憶し、
モード設定部は、電力供給モードが省エネルギーモードに設定されている場合に、前記動作履歴情報に追加して記憶された前記静音フラグ情報に基づいて、前記ドライブの回転数を制御することを特徴とする請求項４に記載の映像再生装置。
【請求項７】
映像再生装置を構成する複数のデバイスのうち、選択したデバイスのみに電力供給するように制御する選択制御部をさらに備え、
前記記憶部は、前記動作時間情報に基づいて、所定時間帯毎における最も動作時間の長かった操作指示を前記所定時間帯毎に動作履歴情報に追加して記憶し、
前記選択制御部は、モード設定部が電力供給モードを省エネルギーモードに設定する際に、前記動作履歴情報に追加して記憶された操作指示で動作するデバイスを選択することを特徴とする請求項４に記載の映像再生装置。
【請求項８】
前記動作状態は、表示装置が動作中か停止中かを判断して得られるものであり、
前記モード設定部は、動作状態情報が停止中と判別して得られた場合に、電力供給モードを待機モードに設定すること
を特徴とする請求項２に記載の映像再生装置。
【請求項９】
前記モード設定部は、ポイントが所定の第１のレベルよりも小さい所定の第２のレベル以下であり、かつ、動作状態情報が停止中と判別して得られた場合に、電力供給モードを待機モードに設定すること
を特徴とする請求項８に記載の映像再生装置。
【請求項１０】
記録媒体に記録された映像信号を再生する映像再生部と再生された前記映像信号を表示する表示部とを備えた映像再生システムであって、
前記表示部の動作状態情報を取得する動作状態情報取得部と、
前記映像再生部を動作させる操作指示を入力する操作入力部と、
前記動作状態情報に基づいて、前記映像再生部への電力供給モードを設定するモード設定部と、を備えることを特徴とする映像再生システム。
【請求項１１】
映像信号の記録又は再生を行う映像記録再生装置であって、
再生された前記映像信号を表示する表示装置の動作状態情報を取得する動作状態情報取得部と、
前記映像記録再生装置を動作させる操作指示を入力する操作入力部と、
前記動作状態情報に基づいて、前記映像記録再生装置への電力供給モードを設定するモード設定部と、を備えることを特徴とする映像記録再生装置。
【請求項１２】
前記映像記録再生装置が前記操作指示に基づいて動作した動作時間情報を取得する動作時間情報取得部と、
前記動作時間情報に基づいて、所定時間帯毎にポイントを付与するポイント付与部と、 前記所定時間帯毎に付与されたポイントを動作履歴情報として記憶する記憶部と、
前記動作履歴情報と前記動作状態情報とに基づいて、前記映像記録再生装置への電力供給モードを設定するモード設定部と、をさらに備えることを特徴とする請求項１１に記載の映像記録再生装置。
【請求項１３】
前記電力供給モードは、
映像記録再生装置を構成する複数のデバイスの全てに電力を供給する通常モードと、
前記複数のデバイスのうちで操作入力部を動作可能とするデバイスのみに電力を供給する待機モードと、
前記複数のデバイスのうちで操作入力部を動作可能とするデバイスと所定動作開始までに待ち時間を要するデバイスとに電力を供給する省エネルギーモードとを備え、
操作指示は、
前記映像記録再生装置が受信された映像信号を記録媒体に記録するための記録指示と、  前記映像記録再生装置が前記記録媒体に記録された映像信号を再生するための再生指示と、を含むことを特徴とする請求項１２に載の映像記録再生装置。
【請求項１４】
前記動作状態情報は、表示装置が動作中か停止中かを判別して得られるものであり、
前記動作時間情報は、操作指示による映像記録再生装置の動作開始時刻と動作終了時刻とを含むものであり、
前記ポイント付与部で付与された所定時間帯毎のポイントは、前記動作開始時刻と前記動作終了時刻とから、前記時間帯毎に前記映像記録再生装置の使用確率を算出して得られるものであって、
前記モード設定部は、前記ポイントが所定の第１のレベル以上であり、かつ、前記動作状態情報が動作中と判別して得られた場合に、電力供給モードを省エネルギーモードに設定することを特徴とする請求項１３に記載の映像記録再生装置。
【請求項１５】
前記操作指示が受信された映像信号を所定の時刻に記録することであって、かつ、当該操作指示は予め予約設定されたものである場合に限って、
ポイント付与部は、映像記録再生装置の使用確率を算出して得られるポイントと異なるポイントを前記映像記録再生装置の使用確率を算出して得られるポイントに代えて付与することを特徴とする請求項１４に記載の映像記録再生装置。
【請求項１６】
記録媒体に記録された映像信号を再生する映像再生装置の電力供給方法であって、
前記映像再生装置によって再生された映像信号を表示する表示装置の動作状態情報を取得する動作状態情報取得工程と、
前記映像再生装置を動作させる操作指示を入力する操作入力工程と、
前記動作履歴情報と前記動作状態情報とに基づいて、前記映像再生装置への電力供給モードを設定するモード設定工程と、
を備えることを特徴とする電力供給方法。
【請求項１７】
前記映像再生装置を動作させる操作指示を入力する操作入力工程と、
前記映像再生装置が前記操作指示に基づいて動作した動作時間情報を取得する動作時間情報取得工程と、
前記動作時間情報に基づいて、所定時間帯毎にポイントを付与するポイント付与工程と、
前記所定時間帯毎に付与されたポイントを動作履歴情報として記憶する記憶工程と、
前記動作履歴情報と前記動作状態情報とに基づいて、前記映像再生装置への電力供給モードを設定するモード設定工程と、をさらに備えることを特徴とする請求項１６に記載の電力供給方法。
【請求項１８】
前記電力供給モードは、
映像再生装置を構成する複数のデバイスの全てに電力を供給する通常モードと、
前記複数のデバイスのうちで操作入力部を動作可能とするデバイスのみに電力を供給する待機モードと、
前記複数のデバイスのうちで操作入力部を動作可能とするデバイスと所定動作開始までに待ち時間を要するデバイスとに電力を供給する省エネルギーモードとを備え、
前記操作指示は、前記映像再生装置が記録された映像信号を再生するための再生指示を含むことを特徴とする請求項１７に記載の電力供給方法。
【請求項１９】
映像信号を記録又は再生する映像記録再生装置の電力供給方法であって、
前記映像再生装置によって再生された映像信号を表示する表示装置の動作状態情報を取得する動作状態情報取得工程と、
前記映像記録再生装置を動作させる操作指示を入力する操作入力工程と、
前記動作状態情報に基づいて、前記映像記録再生装置への電力供給モードを設定するモード設定工程と、を備えることを特徴とする電力供給方法。
【請求項２０】
前記映像記録再生装置が前記操作指示に基づいて動作した動作時間情報を取得する動作時間情報取得工程と、
前記指示動作時間情報に基づいて、所定時間帯毎にポイントを付与するポイント付与工程と、
前記所定時間帯毎に付与されたポイントを動作履歴情報として記憶する記憶工程と、
前記動作履歴情報と前記動作状態情報に基づいて、前記映像記録再生装置への電力供給モードを設定するモード設定工程と、をさらに備えることを特徴とする請求項１９に記載の電力供給方法。
【請求項２１】
前記電力供給モードは、
映像記録再生装置を構成する複数のデバイスの全てに電力を供給する通常モードと、
前記複数のデバイスのうちで操作入力部を動作可能とするデバイスのみに電力を供給する待機モードと、
前記複数のデバイスのうちで操作入力部を動作可能とするデバイスと所定動作開始までに待ち時間を要するデバイスとに電力を供給する省エネルギーモードとを備え、
操作指示は、
前記映像記録再生装置が受信された映像信号を記録媒体に記録するための記録指示と、  前記映像記録再生装置が前記記録媒体に記録された映像信号を再生するための再生指示と、を含むことを特徴とする請求項２０に記載の電力供給方法。
【手続補正３】
【補正対象書類名】明細書
【補正対象項目名】００１０
【補正方法】変更
【補正の内容】
【００１０】
この発明に係る映像再生装置は、記録媒体に記録された映像信号を再生する映像再生装置であって、再生された前記映像信号を表示する表示装置の動作状態情報を取得する動作状態情報取得部と、前記映像再生装置を動作させる操作指示を入力する操作入力部と、前記動作状態情報に基づいて、前記映像再生装置への電力供給モードを設定するモード設定部とを備えることを特徴とする。
【国際調査報告】
2009028312.tif 000012
2009028312.tif 000013